(57)【要約】【課題】情報端末機器から送信された共有画像情報を元に、画像表示機器が状況に応じた配置を行い、さらに、表示している共有画像を、移動、拡大、縮小等の制御を可能にすることで、会議等の参加者の負担を減らし、加えて会議等を円滑に行えるようにした画像共有システム、画像共有方法、画像表示機器、情報端末機器及び画像共有プログラムを提供する。【解決手段】画像表示機器１は、通信手段１１、表示手段１２、通信データ解析手段１３、共有画像管理手段１４、データ作成手段１５、位置取得手段１６を有する。情報端末機器２は、通信手段２１、画像情報取得手段２２、通信データ作成手段２３、位置取得手段２４、データ解析手段２５を有する。【選択図】　図１
2004120284.tif 000002
【特許請求の範囲】
【請求項１】
複数の情報端末機器と、前記複数の情報端末機器のいずれか少なくとも１台と通信が可能な画像表示機器とからなる画像共有システムにおいて、前記情報端末機器は、
画像情報又は画面情報と付加情報からなる共有画像情報を、前記画像表示機器へ送信する送信手段を具備し、
前記画像表示機器は、
前記複数の情報端末機器から前記共有画像情報を各々受信する受信手段と、
前記受信手段で受信した各々の前記共有画像情報を、前記画像情報又は前記付加情報に基づいて、各々の画像情報の表示方法を決定する決定手段と、
前記決定手段に基づいて決定された表示方法に基づき、前記各々の画像情報を表示する表示手段とを具備したことを特徴とする画像共有システム。
【請求項２】
前記情報端末機器のいずれか１台が、前記画像表示機器が表示している任意の前記共有画像の表示方法を制御する制御手段とを更に具備したことを特徴とする請求項１記載の画像共有システム。
【請求項３】
前記情報端末機器は、前記画像表示機器を基準とする位置情報を取得する取得手段と、前記画像表示機器へ該位置情報を送信する位置情報送信手段を更に具備し、
前記画像表示機器の決定手段は、各々の前記情報端末機器から送信された前記位置情報に基づいて、前記画像情報の表示方法を決定することを特徴とする請求項１記載の画像共有システム。
【請求項４】
前記情報端末機器は、前記画像表示機器が表示している任意の共有画像情報を取得する共有画像情報取得手段を更に具備したことを特徴とする請求項１記載の画像共有システム。
【請求項５】
前記情報端末機器は、該情報端末機器の所有者に関連する関連情報を前記画像表示機器へ送信する関連情報送信手段とを更に具備し、
前記画像表示機器は、前記情報端末機器から送信された前記関連情報を任意の表示領域に表示することを特徴とする請求項１記載の画像共有システム。
【請求項６】
前記情報端末機器は、表示画面の一部を前記画像表示装置へ送信する機能、及び又は仮想画面の一部を送信する機能を持つ表示画面送信手段とを更に具備したことを特徴とする請求項１記載の画像共有システム。
【請求項７】
複数の情報端末機器と、前記複数の情報端末機器のいずれか少なくとも１台と通信が可能な画像表示機器とからなる画像共有システムにおける画像共有方法であって、
前記情報端末機器は、
画像情報又は画面情報と付加情報からなる共有画像情報を、前記画像表示機器へ送信し、
前記画像表示機器は、
前記複数の情報端末機器から前記共有画像情報を各々受信し、
前記受信した各々の前記共有画像情報を、前記画像情報又は前記付加情報に基づいて、各々の画像情報の表示方法を決定し、
前記決定された表示方法に基づき、前記各々の画像情報を表示することを特徴とする画像共有方法。
【請求項８】
複数の情報端末機器のいずれか少なくとも１台と通信が可能な画像表示機器であって、
前記複数の情報端末機器から画像情報又は画面情報と付加情報からなる共有画像情報を各々受信する受信手段と、
前記受信手段で受信した各々の前記共有画像情報を、前記画像情報又は前記付加情報に基づいて、各々の画像情報の表示方法を決定する決定手段と、
前記決定手段に基づいて決定された表示方法に基づき、前記各々の画像情報を表示する表示手段とを具備したことを特徴とする画像表示機器。
【請求項９】
画像表示機器と通信可能な情報端末機器であって、
画像情報又は画面情報と付加情報からなる共有画像情報を、前記画像表示機器へ送信する送信手段と、
前記画像表示機器が表示している任意の前記共有画像の表示方法を制御する制御手段とを具備したことを特徴とする情報端末機器。
【請求項１０】
複数の情報端末機器のいずれか少なくとも１台と通信が可能な画像表示機器における画像共有プログラムであって、
前記複数の情報端末機器から画像情報又は画面情報と付加情報からなる共有画像情報を各々受信するステップと、
前記受信するステップで受信した各々の前記共有画像情報を、前記画像情報又は前記付加情報に基づいて、各々の画像情報の表示方法を決定するステップと、前記決定するステップにより決定された表示方法に基づき、前記各々の画像情報を表示するステップとからなることを特徴とする画像共有プログラム。
【発明の詳細な説明】
【０００１】
【発明の属する技術分野】
本発明は、複数の情報端末機器と画像表示機器からなる画像共有システム、画像共有方法、画像表示機器、情報端末機器及び画像共有プログラムに関する。
【０００２】
【従来の技術】
従来、複数のパソコン等の情報端末機器がプロジェクタ等の画像表示機器と無線ＬＡＮ等のネットワークで接続された環境において、画像の自動転送ソフトウェアなどを利用することにより、あるパソコンのディスプレイの表示画面画像をプロジェクタへ送信し、プロジェクタはその画像を表示することにより、画像共有システムを実現していた。また、画像共有用のソフトウエアを用いて、複数のパソコンの画面画像を他のパソコンへお互いに送信し、他のパソコンが表示することにより、複数のパソコンの画面画像を共有し、さらにプロジェクタへパソコンを接続することにより、同様の環境における、複数の情報端末機器の表示画面画像を画像表示機器へ表示する画像共有システムを実現することができた。また、共有画像を必要に応じて縮小して暗くし、共有領域に配置するというシステムもあった。
【０００３】
【特許文献１】
特開２０００−２６７９６８公報
【０００４】
【発明が解決しようとする課題】
しかしながら、上述したような従来の画像共有システムでは、複数の画像を共有している時に、画像表示機器に表示される複数の情報端末機器の共有画像一つ一つは、画像表示機器の画像上の、場所、大きさ、解像度等は、適当に設定されてしまうため、複数の情報端末機器の画像は、煩雑に表示される。その際、複数の共有画像は画像表示機器でしか共有画像の移動、拡大、縮小等の制御ができないため、制御したい者が会議等を中断し、逐一画像表示機器を操作することとなり、共有画像の移動、拡大をで会議等の協調作業が円滑に行えないという問題がある。
【０００５】
本発明は、上記事情を考慮してなされたもので、情報端末機器から送信された共有画像情報を元に、画像表示機器が状況に応じた配置を行い、さらに、表示している共有画像を、移動、拡大、縮小等の制御を可能にすることで、会議等の参加者の負担を減らし、加えて会議等を円滑に行えるようにした画像共有システム、画像共有方法、画像表示機器、情報端末機器及び画像共有プログラムを提供することを目的とする。
【０００６】
【課題を解決するための手段】
上記目的を達成するために、本願発明の画像共有システムは、複数の情報端末機器と、複数の情報端末機器のいずれか少なくとも１台と通信が可能な画像表示機器とからなる画像共有システムにおいて、情報端末機器は、画像情報又は画面情報と付加情報からなる共有画像情報を、画像表示機器へ送信する送信手段を具備し、画像表示機器は、複数の情報端末機器から共有画像情報を各々受信する受信手段と、受信手段で受信した各々の共有画像情報を、画像情報又は付加情報に基づいて、各々の画像情報の表示方法を決定する決定手段と、決定手段に基づいて決定された表示方法に基づき、各々の画像情報を表示する表示手段とを具備したことを特徴とする。
【０００７】
更に、情報端末機器のいずれか１台が、画像表示機器が表示している任意の共有画像の表示方法を制御する制御手段とを更に具備したことを特徴とする。
【０００８】
更に、情報端末機器は、画像表示機器を基準とする位置情報を取得する取得手段と、画像表示機器へ該位置情報を送信する位置情報送信手段を更に具備し、画像表示機器の決定手段は、各々の情報端末機器から送信された位置情報に基づいて、画像情報の表示方法を決定することを特徴とする。
【０００９】
更に、情報端末機器は、画像表示機器が表示している任意の共有画像情報を取得する共有画像情報取得手段を更に具備したことを特徴とする。
【００１０】
更に、情報端末機器は、該情報端末機器の所有者に関連する関連情報を画像表示機器へ送信する関連情報送信手段とを更に具備し、画像表示機器は、情報端末機器から送信された関連情報を任意の表示領域に表示することを特徴とする。
【００１１】
更に、情報端末機器は、表示画面の一部を画像表示装置へ送信する機能、及び又は仮想画面の一部を送信する機能を持つ表示画面送信手段とを更に具備したことを特徴とする。
【００１２】
また本願発明の画像共有方法は、複数の情報端末機器と、複数の情報端末機器のいずれか少なくとも１台と通信が可能な画像表示機器とからなる画像共有システムにおける画像共有方法であって、情報端末機器は、画像情報又は画面情報と付加情報からなる共有画像情報を、画像表示機器へ送信し、画像表示機器は、複数の情報端末機器から共有画像情報を各々受信し、受信した各々の共有画像情報を、画像情報又は付加情報に基づいて、各々の画像情報の表示方法を決定し、決定された表示方法に基づき、各々の画像情報を表示することを特徴とする。
【００１３】
また本願発明の画像表示機器は、複数の情報端末機器のいずれか少なくとも１台と通信が可能な画像表示機器であって、複数の情報端末機器から画像情報又は画面情報と付加情報からなる共有画像情報を各々受信する受信手段と、受信手段で受信した各々の共有画像情報を、画像情報又は付加情報に基づいて、各々の画像情報の表示方法を決定する決定手段と、決定手段に基づいて決定された表示方法に基づき、各々の画像情報を表示する表示手段とを具備したことを特徴とする。
【００１４】
また本願発明の画像表示機器は、画像表示機器と通信可能な情報端末機器であって、画像情報又は画面情報と付加情報からなる共有画像情報を、画像表示機器へ送信する送信手段と、画像表示機器が表示している任意の共有画像の表示方法を制御する制御手段とを具備したことを特徴とする。
【００１５】
また本願発明の画像共有プログラムは、複数の情報端末機器のいずれか少なくとも１台と通信が可能な画像表示機器における画像共有プログラムであって、複数の情報端末機器から画像情報又は画面情報と付加情報からなる共有画像情報を各々受信するステップと、受信ステップで受信した各々の共有画像情報を、画像情報又は付加情報に基づいて、各々の画像情報の表示方法を決定するステップと、決定するステップにより決定された表示方法に基づき、各々の画像情報を表示するステップとからなることを特徴とする。
【００１６】
本発明によれば、会議などの場合、例えば複数の参加者が各情報端末から会議資料を画像表示機器へ同時に表示し、全ての参加者の資料を同時に閲覧が可能になる。
【００１７】
【発明の実施の形態】
以下、図面を参照しながら発明の実施の形態を説明する。
【００１８】
図１に、本発明の構成例を示す。
【００１９】
図１に示されるように、本実施形態のシステムは、画像表示機器１、情報端末機器２を有する。
【００２０】
図２に示されるように、画像表示機器１は、通信手段１１、表示手段１２、通信データ解析手段１３、共有画像管理手段１４、データ作成手段１５、位置取得手段１６を有する。
【００２１】
図３に示されるように、情報端末機器２は、通信手段２１、画像情報取得手段２２、通信データ作成手段２３、位置取得手段２４、データ解析手段２５を有する。
【００２２】
画像表示機器１は、例えばプロジェクタ、テレビが代表的であるが、画像表示機器１は情報端末機器２からの送信されるデータを処理できる機器であればよいので、ここに挙げたものに限定されるものではない。また、画像表示機器１は最低１台である。
【００２３】
情報端末機器２は、例えば、パソコン、ＰＤＡ、携帯電話、カメラが代表的であるが、情報端末機器２は画像情報を送信できる機器であればよいので、ここに挙げたものに限定されるものではない。よって、例えば入力音声情報から文字情報へ変換し、さらに文字が書かれた画像情報へ変換した情報を送信可能なマイク、ヘッドセット、携帯電話等も情報端末機器２になりうる。また、情報端末機器２は、最低１台である。
【００２４】
通信手段１１、２１は、例えば、無線ＬＡＮ、Ｂｌｕｅｔｏｏｔｈ等といった無線通信、有線ＬＡＮ、ＵＳＢ、シリアルポート等の有線通信が代表的である。通信手段は画像表示機器１、情報端末機器２が通信可能であればよいので、ここに挙げたものに限定されるものではない。
【００２５】
表示手段１２は、例えばプロジェクタのＬＣＤに代表される、画像を出力可能な装置である。
【００２６】
共有画像管理手段１３は、情報端末機器２から送信される共有画像情報を管理する。
【００２７】
データ解析手段１４は、通信手段１１から受信されるデータを解析する。
【００２８】
データ作成手段１５は、情報端末機器２からの要求により、送信する共有画像データ等を作成する。
【００２９】
画像情報作成手段２２は、例えばパソコンの表示画面、カメラが撮った画像等から、画像表示機器１へ送信する画像情報を作成する。
【００３０】
データ作成手段２３は、画像情報作成手段２２で作成した画像情報を、画像表示機器１から表示される画像へ表示する領域情報、情報端末機器２のアドレスを付加することにより、画像送信データを作成する他、共有画像を移動、拡大、縮小、取得する等の制御命令を作成し、通信手段２１へデータ送信を依頼する。
【００３１】
図４で示されるように、共有画像管理手段１３は、例えば、共有画像番号１３１、送信元アドレス１３２、表示領域１３３、共有画像イメージ１３４から成るデータベースである。共有画像番号は、画像表示機器１が内部で管理する共有画像の識別子である。送信元機器アドレスは、例えばＬＡＮのＭａｃアドレスなど、情報端末機器２を特定できる識別子である。表示領域は共有画像が表示されている領域の座標である。共有画像イメージは、例えば共有画像の画像ファイルである。
【００３２】
位置取得手段１６、２４は、例えばＧＰＳ、無線タグに代表される、物理的な位置を検出する装置である。
【００３３】
データ解析手段２５は、通信手段２１から受信されるデータを解析する。
【００３４】
図５に、情報端末機器２から、画像表示機器１へ共有画像を表示する手順の一例を示す。
【００３５】
情報端末機器２のユーザから、画像送信に関する指示が与えられた場合（ステップＳ１１）、画像情報作成手段２２により共有画像データを作成する（ステップＳ１２）。共有画像は例えば情報端末機器２のディスプレイに表示されている画面、画像ファイル、文書ファイルなどが代表的である。次にデータ作成手段２３により、画像表示機器１へ送信するデータを作成し、通信手段２１からデータを送信する。（ステップＳ１３）。
【００３６】
送信するデータは、例えば送信元の情報端末機器２のアドレス、送信先の画像表示機器１のアドレス、データ番号、ユーザ名、画像表示領域、共有画像データからなる。送信元の情報端末機器２のアドレス、送信先の画像表示機器１のアドレスは、例えばＬＡＮのＭａｃアドレスなど、機器を特定できる識別子である。データ番号は、送信データの識別子である。ユーザ名は、情報端末機器２を操作しているユーザの名前である。画像表示領域は、例えば画像表示機器１へ表示する座標、幅、高さである。画像表意領域は、ユーザが入力することや、位置取得手段２４からの位置情報を元に画像表示機器１からの位置情報を元に、座標が計算されることで得られる。共有画像データは、ステップＳ１２で作成した共有画像データである。画像表示機器１のアドレスは、例えばユーザが入力することや、システム起動時に機器がお互いに自動的に交換することで得られる。
【００３７】
画像表示機器１は、通信手段１１から受信したデータを、データ解析手段で解析し、表示手段１２へ共有画像、ユーザ名を表示する。（ステップＳ１４）
次にデータ作成手段１５で返信データを作成する。（ステップＳ１５）
返信データは、送信元画像表示機器１のアドレス、送信先情報端末機器２のアドレス、データ番号、ステータス、共有画像番号である。データ番号は、返信する対象を特定するため、受信したデータのデータ番号と同じであるような識別子である。ステータスは例えば成功、失敗といった結果である。共有画像番号は、画像表示機器１が作成する共有画像を特定するための識別子である。
【００３８】
返信データは、通信手段１１から情報端末機器２へ送信される。
【００３９】
情報端末機器２は通信手段２１から受信したデータをデータ解析手段２５で解析し、例えばスタータスが成功だった場合には、共有画像番号を記憶する。失敗だった場合にはもう一度データの再送を行う。（ステップＳ１６）
図６に、画像表示機器１から出力される画像の例を示す。共有画像の位置の決定は、ユーザが入力する場合の他に、初期設定や自動整列を行った時に、位置情報を元に決定するなどが望ましい。位置情報はユーザが入力してもよい。
【００４０】
図７に、情報端末機器２から画像表示端末１へ共有画像を制御する手順の一例を示す。
【００４１】
情報端末機器２のユーザから、共有画像制御に関する指示が与えられた場合（ステップＳ２１）、データ作成手段２３により、画像表示機器１へ送信するデータを作成し、通信手段２１からデータを送信する。（ステップＳ２２）。送信するデータは、例えば送信元の情報端末機器２のアドレス、送信先の画像表示機器１のアドレス、データ番号、共有画像番号、領域情報、制御内容からなる。共有画像番号は、制御対象の共有画像の番号である。領域情報は、ユーザが示した座標等である。画像表示機器１では、領域情報に該当する共有画像を計算する。制御内容は、制御の種類に依存する処理情報である。制御は、例えば、共有画像の移動、拡大、縮小、取得に代表される。共有画像の移動の場合、制御情報は、例えば移動距離である。
【００４２】
画像表示機器１は、通信手段１１から受信したデータを、データ解析手段で解析し、表示手段１２へ制御後の画像を表示する。（ステップＳ２３）
次にデータ作成手段１５で返信データを作成する。（ステップＳ２４）
返信データは、送信元画像表示機器１のアドレス、送信先情報端末機器２のアドレス、データ番号、ステータス、付加情報である。データ番号は、返信する対象を特定するため、受信したデータのデータ番号と同じであるような識別子である。ステータスは例えば成功、失敗といった結果である。付加情報は、制御内容に依存した情報である。例えば制御内容が共有画像取得の場合、送信する共有画像データである。
【００４３】
情報端末機器２は通信手段２１から受信したデータをデータ解析手段２５で解析し、例えばスタータスが成功だった場合には、付加情報の処理を行う。失敗だった場合にはもう一度データの再送を行う。（ステップＳ２５）
図８に、画像表示機器１から出力される制御後の画像の例を示す。この場合は、図６に対して、ユーザ名が「斎藤」である共有画像が拡大され、中央に移動されたことを示している。
【００４４】
【発明の効果】
本発明によれば、情報端末機器から送信された共有画像情報を元に、画像表示機器が状況に応じた配置を行い、さらに、表示している共有画像を、移動、拡大、縮小等の制御を可能にすることで、会議等の参加者の負担を減らし、加えて会議等を円滑に行えるようにした画像共有システム及び画像データ表示方法を提供することができる。
【図面の簡単な説明】
【図１】本発明の実施形態に係る画像共有システムの構成例を示す図
【図２】同実施形態における画像表示機器の構成例を示す図
【図３】同実施形態における情報端末機器の構成例を示す図
【図４】同実施形態における共有画像管理手段例を示す図
【図５】同実施形態における処理手順例を示すフローチャート
【図６】同実施形態における画像表示例を示す図
【図７】同実施形態における処理手順例を示すフローチャート
【図８】同実施形態における画像表示例を示す図
【符号の説明】
１・・・画像表示機器
２・・・情報端末機器
１１・・・通信手段
１２・・・表示手段
１３・・・共有画像管理手段
１４・・・データ解析手段
１５・・・データ作成手段
２１・・・通信手段
２２・・・画像情報作成手段
２３・・・データ作成手段
【図１】
2004120284.tif 000003
【図２】
2004120284.tif 000004
【図３】
2004120284.tif 000005
【図４】
2004120284.tif 000006
【図５】
2004120284.tif 000007
【図６】
2004120284.tif 000008
【図７】
2004120284.tif 000009
【図８】
2004120284.tif 000010